(57)【要約】【課題】使い勝手のよい表示装置を提供する。【解決手段】表示装置は、画像を表示する表示部と、ユーザの指示に基づき、第１の表示態様から第２の表示態様に、前記表示部に表示された表示態様を変更する変更部と、を備え、前記第１の表示態様は、第１の複数の区画と第１の複数の画像とからなる表示態様であり、前記第２の表示態様は、第２の複数の区画と第２の複数の画像とからなる表示態様であり、前記第２の複数の区画は、前記第１の複数の区画とは異なる複数の区画であり、前記第２の複数の画像は、前記第１の複数の画像とは画像内容が異なる画像を少なくとも１つは含む複数の画像である。【選択図】図１
2017102217.tif 000002
【特許請求の範囲】
【請求項１】
画像を表示する表示部と、
ユーザの指示に基づき、第１の表示態様から第２の表示態様に、前記表示部に表示された表示態様を変更する変更部と、
を備え、
前記第１の表示態様は、第１の複数の区画と第１の複数の画像とからなる表示態様であり、
前記第２の表示態様は、第２の複数の区画と第２の複数の画像とからなる表示態様であり、
前記第２の複数の区画は、前記第１の複数の区画とは異なる複数の区画であり、
前記第２の複数の画像は、前記第１の複数の画像とは画像内容が異なる画像を少なくとも１つは含む複数の画像である表示装置。
【請求項２】
請求項１に記載の表示装置において、
前記第２の複数の区画は、前記第１の複数の区画の少なくとも１つの区画は維持されている表示装置。
【請求項３】
請求項２に記載の表示装置において、
前記第１の複数の区画から、前記第２の複数の区画への区画の変更において、維持されている区画は、ユーザの指示がなされた区画である表示装置。
【請求項４】
請求項１〜３のいずれか一項に記載の表示装置において、
前記第１の複数の区画と前記第２の複数の区画は、区画の個数、区画の形状、区画の位置、および区画のサイズの少なくとも１つが異なる表示装置。
【請求項５】
請求項１〜４のいずれか一項に記載の表示装置において、
前記画像内容は、被写体、構図、および画像処理の少なくとも１つである表示装置。
【請求項６】
請求項１〜５のいずれか一項に記載の表示装置において、
前記変更部は、前記ユーザの指示が前記第１の複数の画像のいずれかに対する選択指示である場合には、前記第２の表示態様を前記選択指示の対象となった画像に関連する他の画像を含めた表示態様に変更する表示装置。
【請求項７】
請求項１〜６のいずれか一項に記載の表示装置において、
前記変更部は、前記ユーザの指示が前記第１の複数の画像に関する複数のカテゴリのいずれかに対する選択指示である場合には、前記第２の表示態様に前記選択指示の対象となったカテゴリにある前記第１の複数の画像とは異なる画像を少なくとも１つ以上を表示させる表示装置。
【請求項８】
請求項１〜７のいずれか一項に記載の表示装置において、
前記変更部は、前記ユーザの指示が前記第１の表示態様のうち少なくとも１つの表示態様に対する固定指示である場合には、前記固定指示の対象となった表示態様は変更せず、前記第２の表示態様を表示する表示装置。
【請求項９】
請求項１〜８のいずれか一項に記載の表示装置において、前記ユーザの指示は、前記ユーザによる操作部材の操作と、所定の検出器により検出された前記ユーザの動作と、の少なくとも１つである表示装置。
【請求項１０】
請求項１〜９のいずれか一項に記載の表示装置において、
前記変更部は、前記ユーザの指示に加えて、前記ユーザが過去に閲覧した画像ごとの閲覧時間および閲覧回数の少なくとも一方の履歴に基づき、前記複数の区画の表示態様と、前記複数の画像と、を共に変更させる表示装置。
【請求項１１】
請求項１〜１０のいずれか一項に記載の表示装置において、
前記複数の画像は、複数の動画を含み、
前記表示部は、前記複数の区画のうち少なくとも１つの区画に前記複数の動画を割り当て、前記１つの区画において時分割的に前記複数の動画を再生する表示装置。
【請求項１２】
請求項１〜１１のいずれか一項に記載の表示装置において、
前記表示部は、前記複数の区画のうち少なくとも１つの区画について、その１つの区画に表示されている画像に関連する関連画像が存在する場合、前記関連画像の存在を示す指標を表示する表示装置。
【請求項１３】
請求項１２に記載の表示装置において、
前記表示部は、前記指標が表示されているときに前記ユーザにより所定操作が為されると、前記変更部により新たな区画に変更され、前記新たな区画に前記関連画像を表示する表示装置。
【請求項１４】
画像を表示する表示部と、
ユーザの指示に基づき、第１の表示態様から第２の表示態様に、前記表示部に表示された表示態様を変更する変更部と、
を備え、
前記第１の表示態様は、第１の複数の区画と第１の複数の画像とからなる表示態様であり、
前記第２の表示態様は、第２の複数の区画と第２の複数の画像とからなる表示態様であり、
前記第２の複数の区画は、前記第１の複数の区画と同一であり、
前記変更部は、前記ユーザの指示の対象となった前記第１の複数の画像においては、前記第１の表示態様と前記第２の表示態様を維持し、
前記ユーザの指示の対象となっていない前記第１の複数の画像においては、前記第１の複数の画像のうち少なくとも１つの画像を異なる画像に変更し、
前記異なる画像は前記ユーザの指示の対象となった画像に関連する画像である表示装置。
【請求項１５】
画像を表示する表示ステップと、
ユーザの指示に基づき、第１の表示態様から第２の表示態様に変更する変更ステップと、をコンピュータに実行させ、
前記第１の表示態様は、第１の複数の区画と第１の複数の画像とからなる表示態様であり、
前記第２の表示態様は、第２の複数の区画と第２の複数の画像とからなる表示態様であり、
前記第２の複数の区画は、前記第１の複数の区画とは異なる複数の区画であり、
前記第２の複数の画像は、前記第１の複数の画像とは画像内容が異なる画像を少なくとも１つは含む複数の画像である表示プログラム。
【請求項１６】
画像を表示する表示工程と、
ユーザの指示に基づき、第１の表示態様から第２の表示態様に変更する変更工程と、を備え、
前記第１の表示態様は、第１の複数の区画と第１の複数の画像とからなる表示態様であり、
前記第２の表示態様は、第２の複数の区画と第２の複数の画像とからなる表示態様であり、
前記第２の複数の区画は、前記第１の複数の区画とは異なる複数の区画であり、
前記第２の複数の画像は、前記第１の複数の画像とは画像内容が異なる画像を少なくとも１つは含む複数の画像である表示方法。
【発明の詳細な説明】
【技術分野】
【０００１】
本発明は、表示装置、表示プログラムおよび表示方法に関する。
【背景技術】
【０００２】
従来、１つの画面を複数の画面領域に分割することで、複数の画像を１つの画面にレイアウトして表示する画像表示システムが知られている（例えば特許文献１）。しかし、従来技術には、レイアウトの変更に煩雑な操作を伴うという課題がある。
【先行技術文献】
【特許文献】
【０００３】
【特許文献１】特開２０１０−２７８８２４号公報
【発明の概要】
【０００４】
本発明の第１の態様によると、表示装置は、画像を表示する表示部と、ユーザの指示に基づき、第１の表示態様から第２の表示態様に、前記表示部に表示された表示態様を変更する変更部と、を備え、前記第１の表示態様は、第１の複数の区画と第１の複数の画像とからなる表示態様であり、前記第２の表示態様は、第２の複数の区画と第２の複数の画像とからなる表示態様であり、前記第２の複数の区画は、前記第１の複数の区画とは異なる複数の区画であり、前記第２の複数の画像は、前記第１の複数の画像とは画像内容が異なる画像を少なくとも１つは含む複数の画像である。
本発明の第２の態様によると、表示装置は、画像を表示する表示部と、ユーザの指示に基づき、第１の表示態様から第２の表示態様に、前記表示部に表示された表示態様を変更する変更部と、を備え、前記第１の表示態様は、第１の複数の区画と第１の複数の画像とからなる表示態様であり、前記第２の表示態様は、第２の複数の区画と第２の複数の画像とからなる表示態様であり、前記第２の複数の区画は、前記第１の複数の区画と同一であり、前記変更部は、前記ユーザの指示の対象となった前記第１の複数の画像においては、前記第１の表示態様と前記第２の表示態様を維持し、前記ユーザの指示の対象となっていない前記第１の複数の画像においては、前記第１の複数の画像のうち少なくとも１つの画像を異なる画像に変更し、前記異なる画像は前記ユーザの指示の対象となった画像に関連する画像である。
本発明の第３の態様によると、表示プログラムは、画像を表示する表示ステップと、ユーザの指示に基づき、第１の表示態様から第２の表示態様に変更する変更ステップと、をコンピュータに実行させ、前記第１の表示態様は、第１の複数の区画と第１の複数の画像とからなる表示態様であり、前記第２の表示態様は、第２の複数の区画と第２の複数の画像とからなる表示態様であり、前記第２の複数の区画は、前記第１の複数の区画とは異なる複数の区画であり、前記第２の複数の画像は、前記第１の複数の画像とは画像内容が異なる画像を少なくとも１つは含む複数の画像である。
本発明の第４の態様によると、表示方法は、画像を表示する表示工程と、ユーザの指示に基づき、第１の表示態様から第２の表示態様に変更する変更工程と、を備え、前記第１の表示態様は、第１の複数の区画と第１の複数の画像とからなる表示態様であり、前記第２の表示態様は、第２の複数の区画と第２の複数の画像とからなる表示態様であり、前記第２の複数の区画は、前記第１の複数の区画とは異なる複数の区画であり、前記第２の複数の画像は、前記第１の複数の画像とは画像内容が異なる画像を少なくとも１つは含む複数の画像である。
【図面の簡単な説明】
【０００５】
【図１】第１の実施の形態に係る画像再生システムの構成を示すブロック図である。
【図２】記憶装置３０に記憶されているデータの模式図である。
【図３】携帯機器７の構成を模式的に示すブロック図である。
【図４】携帯機器７の外観を示す模式図である。
【図５】第１の実施の形態に係る電子アルバム再生時の表示画面を例示する図である。
【図６】画像データ３１の選択方法の一例を示す説明図である。
【図７】再生処理のフローチャートである。
【図８】第２の実施の形態に係る電子アルバム再生時の表示画面を例示する図である。
【図９】第３の実施の形態に係る電子アルバム再生時の表示画面を例示する図である。
【図１０】第４の実施の形態に係る電子アルバム再生時の表示画面を例示する図である。
【図１１】第５の実施の形態に係る電子アルバム再生時の表示画面を例示する図である。
【図１２】画像データＡ１の再生中にフリック操作を行った後の表示画面を例示する図である。
【図１３】画像データＡ３の再生中にフリック操作を行った後の表示画面を例示する図である。
【図１４】変形例７の実施の形態に係る電子アルバム再生時の表示画面を例示する図である。
【図１５】変形例８の実施の形態に係る電子アルバム再生時の表示画面を例示する図である。
【発明を実施するための形態】
【０００６】
（第１の実施の形態）
図１は、第１の実施の形態に係る画像再生システムの構成を示すブロック図である。画像再生システム１は、ネットワーク２、サーバ３、情報端末４、カメラ５ａ、カメラ５ｂ、無線中継局６ａ、無線中継局６ｂ、および携帯機器７を含む。なお、以下の説明では、カメラ５ａとカメラ５ｂをカメラ５と総称する。
【０００７】
画像再生システム１は、カメラ５による撮影画像を携帯機器７で再生するシステムである。ネットワーク２は、例えばインターネット等の広域通信網である。ネットワーク２には、サーバ３、情報端末４、無線中継局６ａ、無線中継局６ｂが接続されている。情報端末４は、例えばパソコン等の情報端末である。カメラ５ａは、情報端末４およびネットワーク２を介して、サーバ３に画像データを送信することができる。
【０００８】
無線中継局６ａおよび無線中継局６ｂは、カメラ５ｂや携帯機器７との間で、例えば無線ＬＡＮ等の無線通信を行う。カメラ５ｂは、無線中継局６ａおよびネットワーク２を介して、サーバ３に画像データを送信することができる。携帯機器７は、無線中継局６ｂおよびネットワーク２を介して、サーバ３から画像データを受信することができる。
【０００９】
サーバ３は、記憶装置３０を有する。記憶装置３０は、例えばＨＤＤ等の記憶装置である。サーバ３は、カメラ５ａおよびカメラ５ｂから受信した画像データを記憶装置３０に記憶する。サーバ３は、記憶装置３０に記憶されている種々のデータを、必要に応じて携帯機器７に送信する。
【００１０】
図２は、記憶装置３０に記憶されているデータの模式図である。記憶装置３０は、複数の画像データ３１および複数の電子アルバムデータ３２を記憶している。画像データ３１は、カメラ５によって作成された、例えばＪＰＥＧ形式の画像ファイルである。本実施の形態において、画像データ３１は、静止画を記録した画像ファイルである。画像データ３１には、１つ以上のカテゴリデータ３３が関連付けられている。
【００１１】
カテゴリデータ３３は、画像データ３１に関連する１つ以上のカテゴリを示すデータである。例えば、被写体の属性に関する「自動車」、「山」、「動物」等のカテゴリ、撮影時期（季節や時間帯など）に関する「春」、「夜」等のカテゴリ、撮影場所に関する「市街地」、「日本」、「東京」等のカテゴリ、撮影構図に関する「風景」、「ポートレート」等のカテゴリが存在する。これらのカテゴリは一例であり、その他、画像データ３１に関する種々の項目が、カテゴリデータ３３により示されるカテゴリになり得る。以下の説明では、何らかのカテゴリを示すカテゴリデータ３３に関連付けられた画像データ３１を、そのカテゴリに属する画像データ３１と呼ぶ。
【００１２】
電子アルバムデータ３２は、電子アルバムを表現するデータである。電子アルバムデータ３２は、複数の画像データ３１が関連付けられたデータである。ユーザは、例えば情報端末４を操作することにより、電子アルバムデータ３２の作成および編集を行うことができる。ユーザは、複数の画像データ３１を適宜選択し、選択した画像データ３１が関連付けられた電子アルバムデータ３２を作成する。以下の説明では、電子アルバムデータ３２に関連付けられた画像データ３１を、その電子アルバムデータ３２に含まれる画像データ３１と呼ぶ。
【００１３】
図３は、携帯機器７の構成を模式的に示すブロック図である。携帯機器７は、いわゆるタブレット型の情報端末である。携帯機器７は、制御部７０、ＤＲＡＭ７１、フラッシュメモリ７２、液晶ディスプレイ７３、タッチパネル７４、および無線通信モジュール７５を備える。
【００１４】
制御部７０は、不図示のマイクロプロセッサおよびその周辺回路から構成される。制御部７０は、フラッシュメモリ７２に予め記録されている所定の制御プログラムを読み込んで実行することにより、携帯機器７の各部を制御する。ＤＲＡＭ７１は主記憶装置である。フラッシュメモリ７２は補助記憶装置である。液晶ディスプレイ７３は表示装置である。タッチパネル７４は、液晶ディスプレイ７３に積層された入力装置である。無線通信モジュール７５は、無線中継局６ｂとの間で無線によるデータ通信を行う通信モジュールである。制御部７０は、無線通信モジュール７５を介して、ネットワーク２に接続されたサーバ３等のノードとデータ通信を行うことができる。
【００１５】
図４は、携帯機器７の外観を示す模式図である。携帯機器７は板状の筐体を有している。筐体の一面には、液晶ディスプレイ７３が設けられている。液晶ディスプレイ７３にはタッチパネル７４が積層されている。ユーザが手指等を液晶ディスプレイ７３の表示画面に接触させると、タッチパネル７４は、表示画面における接触位置を検出する。以下の説明では、ユーザが手指等を液晶ディスプレイ７３の表示画面に接触させて行う種々の操作をタッチ操作と称する。
【００１６】
携帯機器７は、記憶装置３０に記憶されている電子アルバムデータ３２に基づき、電子アルバムを再生することができる。以下、電子アルバムの再生処理を説明する。
【００１７】
図５（ａ）は、電子アルバム再生時の初期画面を例示する図である。表示画面７３ａは、タイル状に、第１区画１００ａ、第２区画１００ｂ、第３区画１００ｃ、および第４区画１００ｄに区切られている。以下の説明では、第１区画１００ａ、第２区画１００ｂ、第３区画１００ｃ、および第４区画１００ｄ等の区画を区画１００と総称する。各々の区画１００は、長方形の形状を有しており、そのサイズおよび位置は様々である。なお、区画の形状は長方形に限らず、正方形、台形のような形状でも構わない。
【００１８】
制御部７０は、再生対象の電子アルバムデータ３２に含まれる画像データ３１から、４つの画像データＡ１，Ｂ１，Ｃ１，Ｄ１を選択し、第１区画１００ａ、第２区画１００ｂ、第３区画１００ｃ、および第４区画１００ｄにそれぞれ表示する。なお、画像データＡ１〜Ｄ１のサイズや縦横比は、表示対象の区画１００のサイズや縦横比と必ずしも一致しない。制御部７０は、画像データＡ１〜Ｄ１を区画１００に収まるように適宜加工して表示する。例えば、画像データＡ１を第１区画１００ａに表示するに際し、画像データＡ１を拡大または縮小したり、画像データＡ１の一部を切り出したり、画像データＡ１の周囲に余白を設けて縦横比を調節したりする。
【００１９】
図６は、画像データ３１の選択方法の一例を示す説明図である。再生処理に際し、制御部７０は、再生対象の電子アルバムデータ３２に含まれる画像データ３１を、カテゴリデータ３３に基づき集計する。例えば図６では、カテゴリごとに、そのカテゴリに属する画像データ３１の個数を数え、カテゴリを降順（個数が多い順）にソートしている。制御部７０は、この処理によって、画像データ３１の個数が多い上位４つのカテゴリを特定する。図６では、画像データ３１の個数が最も多い４つのカテゴリを、カテゴリＡ、カテゴリＢ、カテゴリＣ、カテゴリＤと表記している。
【００２０】
制御部７０は、カテゴリＡに属する複数の画像データ３１から画像データＡ１を選択する。同様に、カテゴリＢに属する複数の画像データ３１から画像データＢ１を、カテゴリＣに属する複数の画像データ３１から画像データＣ１を、カテゴリＤに属する複数の画像データ３１から画像データＤ１を、それぞれ選択する。これにより、４つの画像データＡ１〜Ｄ１が選択される。
【００２１】
図５（ａ）に示すように、制御部７０は、選択した画像データＡ１を第１区画１００ａに、画像データＢ１を第２区画１００ｂに、画像データＣ１を第３区画１００ｃに、画像データＤ１を第４区画１００ｄに、それぞれ表示（再生）する。結果として、表示画面７３ａには、それぞれ異なるカテゴリに属する４つの画像データＡ１〜Ｄ１が表示される。
【００２２】
閲覧しているユーザ（以下、閲覧者と称する）は、表示画面７３ａに表示された４つの画像データＡ１〜Ｄ１から、興味のある画像データ３１（例えば、画像データＡ１）を見つける。閲覧者は、その画像データＡ１が表示されている第１区画１００ａにタッチ操作を行うことで、画像データＡ１に興味があることを制御部７０に指示することができる。つまり、このタッチ操作は、第１区画１００ａに表示されている画像データＡ１の選択指示である。
【００２３】
制御部７０は、このタッチ操作に応じて、表示画面７３ａに新たに第５区画１００ｅおよび第６区画１００ｆを追加する。第５区画１００ｅおよび第６区画１００ｆには、閲覧者が興味のある画像データＡ１に関連する他の画像データＡ２，Ａ３（関連画像データ）が表示される。
【００２４】
図５（ｂ）は、図５（ａ）の第１区画１００ａに対してタッチ操作が為された後の表示画面７３ｂを例示する図である。制御部７０は、タッチ操作が為された第１区画１００ａの近傍に、新たに第５区画１００ｅおよび第６区画１００ｆを設ける。制御部７０は、第１区画１００ａ以外の既存の区画１００である第２区画１００ｂ、第３区画１００ｃ、および第４区画１００ｄを縮小して、第５区画１００ｅおよび第６区画１００ｆの表示領域を確保する。つまり制御部７０は、複数の区画１００の個数、形状、位置、およびサイズを変更する。なお、第２区画１００ｂに表示されていた画像データＢ１は、第２区画１００ｂに合わせて縮小されてもよいし、縮尺はそのままに表示範囲が縮小されてもよい。第３区画１００ｃ、第４区画１００ｄについても同様である。
【００２５】
新たに設けられた第５区画１００ｅおよび第６区画１００ｆには、それぞれ、第１区画１００ａに表示されていた画像データＡ１に関連する関連画像データＡ２，Ａ３が表示される。制御部７０は、第１区画１００ａに表示されていた画像データＡ１のカテゴリ、すなわちカテゴリＡに属する他の画像データＡ２および画像データＡ３を、関連画像データとして第５区画１００ｅおよび第６区画１００ｆに表示する。
【００２６】
閲覧者は、図５（ｂ）の表示画面７３ｂが表示されている状態で、更に、区画１００にタッチ操作を行うことができる。例えば、閲覧者が第５区画１００ｅに表示されている画像データＡ２に興味があり、第５区画１００ｅにタッチ操作を行う。画像データＡ２はカテゴリＡに属するので、制御部７０はこのタッチ操作に応じて、表示画面７３ｂに、カテゴリＡに属する画像データ３１を、より多く表示する。ただし、新たな区画１００を更に追加しようとすると、個々の区画１００のサイズが小さくなりすぎてしまう。そこで、制御部７０は、カテゴリＡとは異なるカテゴリに属する画像データＢ１〜Ｄ１が表示されている第２区画１００ｂ、第３区画１００ｃ、および第４区画１００ｄに、カテゴリＡに属する画像データＡ４、Ａ５、Ａ６を表示する。換言すると、制御部７０は、第２区画１００ｂ、第３区画１００ｃ、および第４区画１００ｄに表示している画像データＢ１〜Ｄ１を、カテゴリＡに属する画像データＡ４，Ａ５，Ａ６に切り替える。
【００２７】
図５（ｃ）は、図５（ｂ）の第５区画１００ｅに対してタッチ操作が為された後の表示画面７３ｃを例示する図である。図５（ａ）から図５（ｂ）への変化と違い、図５（ｂ）から図５（ｃ）への変化では、区画１００の個数、形状、位置およびサイズは変化していない。制御部７０は、第２区画１００ｂ、第３区画１００ｃ、第４区画１００ｄに、第５区画１００ｅに表示されていた撮影データＡ２のカテゴリＡと同一のカテゴリＡに属する他の画像データＡ４、Ａ５、Ａ６を表示する。
なお、図５（ｂ）から図５（ｃ）への表示画面７３の変化で、区画１００の個数、形状、位置およびサイズは変化しない場合について記載したが、区画１００の個数、形状、位置および形状は変化してもよい。
【００２８】
以上のように、制御部７０は、区画１００にタッチ操作が為される度に、複数の区画１００の表示態様と、複数の区画１００に表示する複数の画像データ３１と、を共に変更させる。
【００２９】
この他に閲覧者は、例えばタッチパネル７４に対するタッチ操作や不図示の操作部材への操作により、ページ送りやページ戻し等のページ移動操作を行うことが可能である。閲覧者がページ移動操作を行うと、制御部７０は、複数の区画１００の表示態様をそのままに、各区画１００に表示する画像データ３１を他の画像データ３１に切り替える。なお、ページ移動操作によって、電子アルバムに含まれる全ての画像データ３１を必ずしも閲覧可能にしなくてもよい。また、所定の優先順位に基づき、ページ移動操作によって新たに表示される画像データ３１を決定してもよい。例えば被写体抽出、縦横構図などによる、既存の画像判定技術によって、電子アルバムに含まれる多数の画像データ３１について優先順位を決めることができる。
【００３０】
図７は、再生処理のフローチャートである。ステップＳ１０で、制御部７０に、再生対象となる電子アルバムデータ３２を特定する指示が入力される。閲覧者は、電子アルバムデータ３２を特定するために、例えば電子アルバムの名称やＵＲＬ等を、タッチパネル７４等の入力装置により入力する。ステップＳ２０で、制御部７０は、再生対象の電子アルバムデータ３２をサーバ３から受信する。
【００３１】
ステップＳ３０で、制御部７０は、電子アルバムデータ３２に含まれる画像データ３１から、初期画面で表示する４つの画像データ３１を選択する。具体的な選択手順は、図６を用いて説明した通りである。ステップＳ４０で、制御部７０は、ステップＳ３０で選択した４つの画像データ３１を、図５（ａ）に例示した４つの区画１００にそれぞれ表示する。
【００３２】
ステップＳ５０で、制御部７０は、表示中の画像データ３１のいずれかの選択指示が入力されたか否かを判定する。つまり、表示中の画像データ３１のいずれかに対するタッチ操作が為されたか否かを判定する。選択指示が入力されていなかった場合、制御部７０は処理をステップＳ１００に進める。他方、選択指示が入力されていた場合、制御部７０は処理をステップＳ６０に進める。
【００３３】
ステップＳ６０で、制御部７０は、既存の区画１００のサイズが所定サイズ以上か否かを判定する。全ての区画１００のサイズが所定サイズ以上である場合、制御部７０は、処理をステップＳ７０に進める。ステップＳ７０で、制御部７０は、タッチ操作が為された区画１００の近傍に、新たな区画１００を設ける。ステップＳ８０で、制御部７０は、新たな区画１００に、タッチ操作が為された画像データ３１に関連する関連画像データを表示する。その後、制御部７０は、処理をステップＳ１００に進める。
【００３４】
ステップＳ６０において、所定サイズ未満の区画１００が存在した場合、制御部７０は、処理をステップＳ９０に進める。ステップＳ９０で、制御部７０は、タッチ操作が為された区画１００とは異なる区画１００に、タッチ操作が為された画像データ３１に関連する関連画像データを表示する。その後、制御部７０は、処理をステップＳ１００に進める。
【００３５】
ステップＳ１００で、制御部７０は、所定の再生終了操作が為されたか否かを判定する。再生終了操作が為されていない場合、制御部７０は、処理をステップＳ５０に進める。再生終了操作が為されていた場合、制御部７０は、電子アルバムの再生処理を終了する。
【００３６】
上述した実施の形態によれば、次の作用効果が得られる。
（１）制御部７０は、表示画面に設けられた複数の区画１００に、選択された複数の画像データ３１をそれぞれ表示するよう制御する。制御部７０は、閲覧者の指示に基づき、複数の区画１００の表示態様と、複数の画像データ３１と、を共に変更させるよう制御する。このようにしたので、簡易な操作でレイアウトを変更可能な、使い勝手のよい表示装置を提供することができる。
【００３７】
（２）制御部７０が変更させる複数の区画１００の表示態様は、複数の区画１００の個数、形状、位置、およびサイズである。このようにしたので、簡易な操作でレイアウトを変更可能な、使い勝手のよい表示装置を提供することができる。
【００３８】
（３）制御部７０は、閲覧者の指示が複数の画像データ３１のいずれかに対する選択指示である場合には、選択指示の対象となった画像データ３１に関連する他の画像データ３１を表示する。このようにしたので、閲覧者の関心が高い画像が自動的により多く表示される、使い勝手のよい表示装置を提供することができる。
【００３９】
（４）制御部７０は、他の画像データ３１を表示するに際し、複数の区画１００に新たな区画１００を追加し、その新たな区画１００に他の画像データ３１を表示する。このようにしたので、閲覧者の関心が高い画像を同時に多数閲覧に供することができる。
【００４０】
（５）閲覧者の指示は、閲覧者によるタッチパネル７４へのタッチ操作である。このようにしたので、直感的な操作でレイアウトを変更可能な、使い勝手のよい表示装置を提供することができる。
【００４１】
（第２の実施の形態）
第２の実施の形態に係る画像再生システムは、第１の実施の形態で説明したものとは異なる操作形態を有している。以下、第２の実施の形態に係る画像再生システムと、第１の実施の形態に係る画像再生システムとの相違点について、図８を参照して説明する。なお、第１の実施の形態と同一の箇所については、第１の実施の形態と同一の符号を付して説明を省略する。
【００４２】
図８（ａ）は、電子アルバム再生時の初期画面を例示する図である。表示画面７３ｄと図５（ａ）に例示した表示画面７３ａとの違いは、画面下部にスライダー１１０が設けられている点である。スライダー１１０は、タッチ操作によってインジケータ１１１を画面左右方向に移動させることができるＧＵＩ部品である。
【００４３】
電子アルバムの再生開始時、インジケータ１１１は画面左端に位置している。閲覧者は、表示画面７３ａに表示された４つの画像データＡ１，Ｂ１，Ｃ１，Ｄ１から、興味のある画像データ３１を見つける。閲覧者は、その画像データ３１が表示されている区画１００にタッチ操作を行うことで、その画像データ３１を選択状態にすることができる。複数の画像データ３１は同時に選択状態にならない。既に選択状態になっている画像データ３１が存在するときに、他の画像データ３１にタッチ操作が為されると、前者の画像データ３１の選択状態は解除され、後者の画像データ３１が選択状態になる。閲覧者は、興味のある画像データ３１を選択状態にし、その後、スライダー１１０のインジケータ１１１を画面右方向に移動させることで、その画像データ３１に興味があることを制御部７０に指示することができる。つまり、画像データ３１を選択状態にするタッチ操作と、インジケータ１１１を画面右方向に移動させるタッチ操作は、区画１００に表示されている画像データ３１の選択指示である。
【００４４】
制御部７０は、選択状態の区画１００を、他の区画１００とは異なる態様で画面に表示し、その区画１００が選択状態であることを閲覧者に知らせる。例えば図８（ａ）では、第１区画１００ａに網掛けが為されている。これは、第１区画１００ａが選択状態であることを示している。これ以外に、第１区画１００ａを点滅させたり、第１区画１００ａを太さや色が異なる線で囲ったり、カーソルやアイコン等のシンボルを第１区画１００ａに重畳して表示させたり等、種々の方法で、区画１００が選択状態であることを知らせてよい。
【００４５】
閲覧者は、選択状態の画像データ３１に対する関心の高さを、インジケータ１１１の移動量により示すことができる。閲覧者は、選択状態の画像データ３１に対してより関心が高いほど、インジケータ１１１を右方向に大きく動かす。制御部７０は、インジケータ１１１の移動量が大きいほど、より多くの関連画像データを、表示画面に新たに表示する。
【００４６】
図８（ｂ）は、図８（ａ）のインジケータ１１１を画面右方向に所定量ｍ１だけ移動させた後の表示画面７３ｅを例示する図である。この場合、制御部７０は、選択状態の第１区画１００ａの近傍に、新たに第５区画１００ｅおよび第６区画１００ｆを設ける。制御部７０は、第１区画１００ａ以外の既存の区画１００である第２区画１００ｂ、第３区画１００ｃ、および第４区画１００ｄを縮小して、第５区画１００ｅおよび第６区画１００ｆの表示領域を確保する。つまり制御部７０は、複数の区画１００の個数、形状、位置、およびサイズを変更する。
【００４７】
新たに設けられた第５区画１００ｅおよび第６区画１００ｆには、それぞれ、第１区画１００ａに表示されていた画像データＡ１に関連する関連画像データが表示される。制御部７０は、第１区画１００ａに表示されていた画像データＡ１のカテゴリ、すなわちカテゴリＡに属する他の画像データＡ２および画像データＡ３を、関連画像データとして第５区画１００ｅおよび第６区画１００ｆに表示する。
【００４８】
図８（ｃ）は、図８（ａ）のインジケータ１１１を画面右方向に所定量ｍ２だけ移動させた後の表示画面７３ｆを例示する図である。所定量ｍ２は、図８（ｂ）に例示した所定量ｍ１よりも大きい。この場合、制御部７０は、選択状態の第１区画１００ａの近傍に、新たに第５区画１００ｅおよび第６区画１００ｆを設けて画像データＡ２および画像データＡ３を表示すると共に、既存の第２区画１００ｂ、第３区画１００ｃ、および第４区画１００ｄに、カテゴリＡに属する画像データＡ４、Ａ５、Ａ６を表示する。換言すると、制御部７０は、図８（ｂ）よりも多数の関連画像データを画面に表示させる。
【００４９】
以上のように、制御部７０は、区画１００を選択状態にしてスライダー１１０を操作する度に、複数の区画１００の表示態様と、複数の区画１００に表示する複数の画像データ３１と、を共に変更させる。
【００５０】
上述した実施の形態によれば、次の作用効果が得られる。
（６）制御部７０は、表示画面に設けられた複数の区画１００に、選択された複数の画像データ３１をそれぞれ表示するよう制御する。制御部７０は、閲覧者の指示に基づき、複数の区画１００の表示態様と、複数の画像１００と、を共に変更させるよう制御するこのようにしたので、簡易な操作でレイアウトを変更可能な、使い勝手のよい表示装置を提供することができる。
【００５１】
（７）制御部７０が変更させる複数の区画１００の表示態様は、複数の区画１００の個数、形状、位置、およびサイズである。このようにしたので、簡易な操作でレイアウトを変更可能な、使い勝手のよい表示装置を提供することができる。
【００５２】
（８）制御部７０は、閲覧者の指示が複数の画像データ３１のいずれかに対する選択指示である場合には、選択指示の対象となった画像データ３１に関連する他の画像データ３１を表示させる。このようにしたので、閲覧者の関心が高い画像が自動的により多く表示される、使い勝手のよい表示装置を提供することができる。
【００５３】
（９）制御部７０は、他の画像データ３１を表示するに際し、複数の区画１００に新たな区画１００を追加し、その新たな区画１００に他の画像データ３１を表示する。このようにしたので、閲覧者の関心が高い画像を同時に多数閲覧に供することができる。
【００５４】
（１０）閲覧者の指示は、閲覧者による画像データ３１へのタッチ操作およびスライダー１１０へのタッチ操作である。このようにしたので、直感的な操作でレイアウトを変更可能な、使い勝手のよい表示装置を提供することができる。
【００５５】
（第３の実施の形態）
第３の実施の形態に係る画像再生システムは、上述した各実施の形態で説明したものとは異なる操作形態を有している。以下、第３の実施の形態に係る画像再生システムと、上述した実施の形態に係る画像再生システムとの相違点について、図９を参照して説明する。なお、第１の実施の形態と同一の箇所については、第１の実施の形態と同一の符号を付して説明を省略する。
【００５６】
電子アルバム再生時の初期画面は、図５（ａ）に例示した表示画面７３ａである。閲覧者は、表示画面７３ａに表示された４つの画像データＡ１，Ｂ１，Ｃ１，Ｄ１から、興味のある画像データ３１を見つける。第２の実施の形態と同様に、閲覧者は、その画像データ３１が表示されている区画１００にタッチ操作を行うことで、その画像データ３１を選択状態にすることができる。
【００５７】
図９（ａ）は、画像データ３１を選択状態にした直後の表示画面７３ｇを例示する図である。画像データ３１を選択状態にすると、制御部７０は、表示画面に重畳して、操作パネル１２０ａをポップアップ表示する。
【００５８】
図９（ｂ）は、操作パネル１２０ａの説明図である。操作パネル１２０ａには、正方形のボタン１２１が計９個、３×３で配列されている。各々のボタン１２１は、特定の表示設定に関連付けられている。閲覧者がいずれかのボタン１２１に対してタッチ操作を行うと、制御部７０は、画面表示に、そのボタン１２１に対応する表示設定を適用する。
【００５９】
図９（ｂ）の例において、表示設定とは、画面に同時に表示される区画１００の個数と、電子アルバムのページ数との組み合わせである。つまり、各々のボタン１２１には、区画１００の個数とページ数とが関連付けられており、閲覧者がいずれかのボタン１２１にタッチ操作を行うと、区画１００の個数とページ数とが変化する。いずれかのボタン１２１にタッチ操作が行われた時点で、操作パネル１２０ａの表示は終了する。
【００６０】
区画１００の個数は操作パネル１２０ａの左右方向と連動している。操作パネル１２０ａの左側にあるボタン１２１ほど、対応する区画１００の個数は少なく、操作パネル１２０ａの右側にあるボタン１２１ほど、対応する区画１００の個数が多い。電子アルバムのページ数は操作パネル１２０ａの上下方向と連動している。操作パネル１２０ａの下側にあるボタン１２１ほど、対応するページ数は少なく、操作パネル１２０ａの上側にあるボタン１２１ほど、対応するページ数は多い。
【００６１】
閲覧者は、選択状態にした画像データ３１の関連画像データに対する関心の高さに応じて、タッチ操作を行うボタン１２１を選択する。例えば、関心が高く、より多くの関連画像データを閲覧したい場合には、操作パネル１２０ａの右側にあるボタン１２１に対してタッチ操作を行えばよい。このとき制御部７０は、図５（ｃ）のように、多数の区画１００で関連画像データを表示する。制御部７０は、必要であれば、区画１００の個数を増やす。また、ページ数が多いほど、選択状態にした画像データ３１の関連画像データ以外の画像データ３１を閲覧することが可能になる。従って、閲覧者は、より多様な画像データ３１を閲覧したい場合には、操作パネル１２０ａの上側にあるボタン１２１に対してタッチ操作を行えばよい。
【００６２】
図９（ｃ）は、図９（ｂ）に例示した操作パネル１２０ａとは別種の操作パネル１２０ｂが表示されている表示画面７３ｈを例示する図である。どの画像データ３１も選択状態になっていないときに、閲覧者が所定のパネル表示操作を行うと、制御部７０は、表示画面に重畳して、操作パネル１２０ｂをポップアップ表示する。所定のパネル表示操作は、例えばタッチパネル７４に対するタッチ操作や不図示の操作部材への操作である。
【００６３】
操作パネル１２０ｂは、図９（ｂ）に例示した操作パネル１２０ａと同様に、計９個のボタン１２１を有している。各々のボタン１２１には、電子アルバムに含まれるカテゴリデータ３３が示すカテゴリの名称が表記されている。図９（ｃ）に図示したＡ〜Ｉの計９種類のアルファベットが、実際には、例えば「人物」、「移動車」等の各カテゴリの名称になる。
【００６４】
閲覧者は、表示された各カテゴリに対する関心の高さに応じて、タッチ操作を行うボタン１２１を選択する。制御部７０は、タッチ操作が行われたボタンに対応するカテゴリの画像データ３１がより多く表示されるように、画面表示を変更する。例えば、閲覧者が「Ａ」というカテゴリの名称が表記されたボタン１２１にタッチ操作を行った場合、制御部７０は、カテゴリＡに属する画像データ３１がより多く表示されるように、画面表示を変更する。制御部７０は、必要であれば、区画１００の個数を増やす。例えば、カテゴリＡに属する画像データ３１が、他のカテゴリに属する画像データ３１よりも相対的に多い場合には、区画１００の個数を増やす。逆に、カテゴリＡに属する画像データ３１が、他のカテゴリに属する画像データ３１よりも相対的に少ない場合には、区画１００の個数を減らす。
【００６５】
以上のように、制御部７０は、操作パネル１２０ａ、１２０ｂを操作する度に、複数の区画１００の表示態様と、複数の区画１００に表示する複数の画像データ３１と、を共に変更させる。
【００６６】
上述した実施の形態によれば、次の作用効果が得られる。
（１１）制御部７０は、表示画面に設けられた複数の区画１００に、選択された複数の画像データ３１をそれぞれ表示するよう制御する。制御部７０は、閲覧者の指示に基づき、複数の区画１００の表示態様と、複数の画像データ３１と、を共に変更させるよう制御する。このようにしたので、簡易な操作でレイアウトを変更可能な、使い勝手のよい表示装置を提供することができる。
【００６７】
（１２）制御部７０が変更させる複数の区画１００の表示態様は、複数の区画１００の個数、形状、位置、およびサイズである。このようにしたので、簡易な操作でレイアウトを変更可能な、使い勝手のよい表示装置を提供することができる。
【００６８】
（１３）制御部７０は、閲覧者の指示が複数のカテゴリのいずれかに対する選択指示である場合には、選択指示の対象となったカテゴリに関連し表示中の複数の画像データ３１とは異なる他の画像データ３１を表示させる。このようにしたので、閲覧者の関心が高い画像が自動的により多く表示される、使い勝手のよい表示装置を提供することができる。
【００６９】
（１４）制御部７０は、他の画像データ３１を表示するに際し、複数の区画１００に新たな区画１００を追加し、その新たな区画１００に他の画像データ３１を表示する。このようにしたので、閲覧者の関心が高い画像を同時に多数閲覧に供することができる。
【００７０】
（１５）閲覧者の指示は、閲覧者によるボタン１２１へのタッチ操作である。このようにしたので、直感的な操作でレイアウトを変更可能な、使い勝手のよい表示装置を提供することができる。
【００７１】
（第４の実施の形態）
上述した各実施の形態に係る画像再生システムは、静止画を記録した画像データ３１を扱うものであった。第４の実施の形態に係る画像再生システムは、静止画を記録した画像データ３１と、動画を記録した画像データ３１とを扱うことができる。以下、第４の実施の形態に係る画像再生システムと、第１の実施の形態に係る画像再生システムとの相違点について、図１０を参照して説明する。なお、第１の実施の形態と同一の箇所については、第１の実施の形態と同一の符号を付して説明を省略する。
【００７２】
本実施の形態において、画像データ３１には、静止画が記録された画像データ３１と、動画が記録された画像データ３１とが含まれる。従って、１つの電子アルバムデータ３２に含まれる画像データ３１にも、静止画と動画とが含まれることになる。制御部７０は、区画１００を、静止画表示用のものと、動画再生用のものに適宜分類する。例えば、画面に表示される区画１００の半分を静止画表示用に、残りを動画再生用にする。あるいは、電子アルバムに含まれる画像データ３１のうちの静止画の割合を、区画１００に含まれる静止画表示用の区画１００の割合とする。
【００７３】
図１０は、電子アルバム再生時の表示画面７３ｉを例示する図である。図５（ａ）に例示した表示画面７３ａとの違いは、第１区画１００ａおよび第４区画１００ｄが、動画用の区画１００である点である。制御部７０は、動画用の区画１００に重畳して、動画の再生を制御するための種々のＧＵＩ部品を画面に表示する。例えば図１０では、第１区画１００ａおよび第４区画１００ｄに重畳して、シークバー１３０およびボタン１３１が表示されている。シークバー１３０は、動画の再生位置を表示および設定するためのＧＵＩ部品である。ボタン１３１は、動画の再生を一時停止したり再開したりするＧＵＩ部品である。閲覧者は、これらのＧＵＩ部品を操作することで、動画の再生位置を設定したり、動画の再生を一時停止したり再開したりすることができる。
【００７４】
制御部７０は、１つの動画再生用の区画１００に対して、特定のカテゴリに属する複数の画像データ３１（動画）を割り当てる。制御部７０は、その区画１００において、割り当てられた複数の画像データ３１（動画）を順に再生する。つまり、複数の画像データ３１（動画）を、１つの区画１００において時分割的に再生する。カテゴリの特定方法は、第１の実施の形態で説明した静止画の場合と同様であるので、説明を省略する。そのカテゴリに属する複数の画像データ３１（動画）から、区画１００に割り当てる画像データ３１（動画）を選択する方法は、例えば被写体抽出、手振れ大小などによる、既存の画像判定技術を用いて適宜定めればよい。
【００７５】
なお、区画１００内で再生するのではなく、表示画面全体で動画を再生してもよい。この場合、制御部７０は、閲覧者が特定の区画１００に対する再生指示を入力したことに応じて、その区画１００に割り当てられた複数の画像データ３１の画面全体による再生を開始する。
【００７６】
また、１つの区画１００内で時分割的に動画を再生する際、２つ目以降の動画が、区画１００よりも小さなサイズで再生されるようにしてもよい。例えば、１つ目の動画は、区画１００全体に広がって再生され、２つ目の動画は、区画１００よりも一回り小さいサイズで再生される。このとき、２つ目の動画の周囲には、１つ目の動画の最終フレームの画像が表示され続ける。３つ目の動画は、更に一回り小さいサイズで再生される。このようにすると、その区画１００に複数の動画が割り当てられていることを、一目で把握することができる。
【００７７】
本実施の形態でも、第１の実施の形態と同様に、閲覧者は、静止画用の区画１００にタッチ操作を行うことで、その区画１００に表示されている画像データ３１に興味があることを制御部７０に指示することができる。つまり、このタッチ操作は、区画１００に表示されている画像データ３１の選択指示である。このタッチ操作が為された場合、制御部７０は、第１の実施の形態と同様の処理を実行する。すなわち、このタッチ操作に応じて、図５（ｂ）のように、表示画面７３ａに新たな区画１００を追加する。その新たな区画１００には、閲覧者が興味のある画像データ３１に関連する他の画像データ３１（関連画像データ）が表示される。もしくは、図５（ｃ）のように、既存の区画１００に表示する画像データ３１を、タッチ操作が為された区画１００に表示されている画像データ３１と同一カテゴリの画像データ３１に切り替える。
【００７８】
動画用の区画１００に対するタッチ操作について説明する。閲覧者は、動画用の区画１００に表示されたシークバー１３０に対して、タッチ操作の一種であるピンチイン操作およびピンチアウト操作を行うことができる。ピンチイン操作は、例えば２本の指でシークバー１３０に接触し、接触状態を保ったまま２本の指の間隔を狭めるタッチ操作である。ピンチアウト操作は、例えば２本の指でシークバー１３０に接触し、接触状態を保ったまま２本の指の間隔を広げるタッチ操作である。
【００７９】
閲覧者が特定の区画１００のシークバー１３０に対して、ピンチアウト操作を行うと、制御部７０は、その区画１００に割り当てられた画像データ３１（動画）を増加させる。例えば、２つの画像データ３１（動画）が割り当てられた区画１００のシークバー１３０に対して所定量のピンチアウト操作が為された場合、更に２つの画像データ３１（動画）をその区画１００に追加で割り当てる。結果として、その区画１００には計４つの画像データ３１（動画）が割り当てられた状態になる。追加で割り当てられる画像データ３１（動画）は、その区画１００に既に割り当てられている画像データ３１（動画）と同一カテゴリに属する他の画像データ３１（動画）である。
【００８０】
制御部７０は、ピンチアウト操作の操作量の大きさに応じた数の画像データ３１（動画）を割り当てる。つまり、大きくピンチアウト操作を行うと、より多くの画像データ３１（動画）が割り当てられる。
【００８１】
なお、追加で割り当てられる画像データ３１（動画）は、その区画１００に既に割り当てられている画像データ３１（動画）とは異なるカテゴリに属する他の画像データ３１（動画）であってもよい。例えば、ある区画１００に、カテゴリＡに属する画像データＡ１、Ａ２が割り当てられており、再生中の電子アルバムデータ３２には、カテゴリＡに属する他の画像データ３１が存在しないとする。この場合、その区画１００に、追加でカテゴリＡに属する他の画像データ３１を割り当てることができない。このような場合に、制御部７０が、カテゴリＡ以外のカテゴリに属する画像データ３１を新たにその区画１００に割り当ててもよい。この場合において、カテゴリＡに関連する他のカテゴリに属する画像データ３１を割り当てることが望ましい。例えば、カテゴリＡが「電車」である場合、「駅」など、「電車」に関連する別のカテゴリに属する画像データ３１を割り当てることが望ましい。
【００８２】
閲覧者が特定の区画１００のシークバー１３０に対して、ピンチイン操作を行うと、制御部７０は、上述したピンチアウト操作と逆の処理を行う。すなわち、その区画１００に割り当てられた画像データ３１（動画）を減少させる。
【００８３】
なお、シークバー１３０ではなく、区画１００に対してピンチアウト操作やピンチイン操作を行うようにしてもよい。
【００８４】
上述した実施の形態によれば、次の作用効果が得られる。
（１６）制御部７０は、表示画面に設けられた複数の区画１００に、選択された複数の画像データ３１をそれぞれ表示するよう制御する。制御部７０は、閲覧者の指示に基づき、複数の区画１００の表示態様と、複数の画像データ３１と、を共に変更させるよう制御する。このようにしたので、簡易な操作でレイアウトを変更可能な、使い勝手のよい表示装置を提供することができる。
【００８５】
（１７）制御部７０が変更させる複数の区画１００の表示態様は、複数の区画１００の個数、形状、位置、およびサイズである。このようにしたので、簡易な操作でレイアウトを変更可能な、使い勝手のよい表示装置を提供することができる。
【００８６】
（１８）制御部７０は、閲覧者の指示が複数の画像データ３１のいずれかに対する選択指示である場合には、選択指示の対象となった画像データ３１に関連する他の画像データ３１を表示する。このようにしたので、閲覧者の関心が高い画像が自動的により多く表示される、使い勝手のよい表示装置を提供することができる。
【００８７】
（１９）制御部７０は、他の画像データ３１を表示するに際し、複数の区画１００に新たな区画１００を追加し、その新たな区画１００に他の画像データ３１を表示する。このようにしたので、このようにしたので、閲覧者の関心が高い画像を同時に多数閲覧に供することができる。
【００８８】
（２０）閲覧者の指示は、閲覧者によるタッチパネル７４へのタッチ操作である。このようにしたので、直感的な操作でレイアウトを変更可能な、使い勝手のよい表示装置を提供することができる。
【００８９】
（２１）複数の画像データ３１は、複数の動画を含む。制御部７０は、複数の区画１００のうち少なくとも１つの区画１００に複数の動画を割り当て、１つの区画１００において時分割的に複数の動画を再生する。このようにしたので、複数の動画を限定的な表示スペース内で再生することができる。
【００９０】
（２２）制御部７０は、閲覧者の指示が１つの区画１００に対する選択操作であった場合には、複数の動画の少なくとも１つに関連する他の動画を用いて複数の動画の再生を変更する。このようにしたので、閲覧者の関心の高さに応じて再生される動画を適切に切り替えることができる。
【００９１】
（第５の実施の形態）
上述した第４の実施の形態に係る画像再生システムは、ピンチイン操作およびピンチアウト操作を行うことで、区画１００に割り当てられた動画の数を増減させることが可能に構成されていた。第５の実施の形態に係る画像再生システムは、より多様な動画を閲覧可能な操作体系を有している。以下、第５の実施の形態に係る画像再生システムと、第４の実施の形態に係る画像再生システムとの相違点について、図１１〜１３を参照して説明する。なお、第４の実施の形態と同一の箇所については、第４の実施の形態と同一の符号を付して説明を省略する。
【００９２】
図１１は、電子アルバム再生時の表示画面７３ｊを例示する図である。例えば区画１００ａには、各々がカテゴリＡに属する、画像データＡ１、Ａ２、Ａ３が割り当てられている。画像データＡ１は、カテゴリＡだけでなく、カテゴリＢにも属している。画像データＡ２は、カテゴリＡにのみ属している。画像データＡ３は、カテゴリＡだけでなく、カテゴリＣにも属している。再生中の電子アルバムデータ３２には、カテゴリＢに属する動画である他の画像データＢ１、Ｂ２と、カテゴリＣに属する動画である他の画像データＣ１、Ｃ２、Ｃ３が含まれる。
【００９３】
このように、区画１００ａに割り当てられた動画に、更に関連する他の動画が存在する場合、制御部７０は、区画１００ａに関連画像アピール操作部１４０を表示する。関連画像アピール操作部１４０は、第１区画１００ａと第２区画１００ｂおよび第３区画１００ｃとの境界部に表示される、横長のＧＵＩ部品である。関連画像アピール操作部１４０は、第１区画１００ａに現在割り当てられている画像データ３１に関連する他の関連画像データの存在を示す指標である。閲覧者は、関連画像アピール操作部１４０を視認することで、第１区画１００ａに関連画像データが存在することを認識することができる。
【００９４】
閲覧者は、関連画像アピール操作部１４０に対して、タッチ操作の一種であるフリック操作を行うことができる。フリック操作は、例えば１本の指で関連画像アピール操作部１４０に接触し、接触状態を保ったままその指を画面下方向に移動させるタッチ操作である。
【００９５】
図１２は、第１区画１００ａにおいて画像データＡ１が再生中であった場合に、関連画像アピール操作部１４０に対してフリック操作を行った後の表示画面７３ｋを例示する図である。フリック操作が行われると、制御部７０は、第１区画１００ａの下部に、新たに第５区画１００ｅおよび第６区画１００ｆを設ける。制御部７０は、第１区画１００ａ以外の既存の区画１００である第２区画１００ｂ、第３区画１００ｃ、および第４区画１００ｄを縮小して、第５区画１００ｅおよび第６区画１００ｆの表示領域を確保する。つまり制御部７０は、複数の区画１００の個数、形状、位置、およびサイズを変更する。関連画像アピール操作部１４０は、第５区画１００ｅおよび第６区画１００ｆと、第２区画１００ｂおよび第３区画１００ｃとの間に移動する。
【００９６】
フリック操作が為されたとき第１区画１００ａにおいて画像データＡ１が再生中であった場合、制御部７０は、新たに設けた第５区画１００ｅおよび第６区画１００ｆに、カテゴリＢに属する動画である画像データＢ１、Ｂ２をそれぞれ割り当てる。つまり制御部７０は、関連画像アピール操作部１４０にフリック操作が為されると、表示画面に新たな区画１００を追加して、その新たな区画１００に他の画像データ３１（動画）を割り当てる。ここで新たに割り当てられる他の画像データ３１（動画）とは、関連画像アピール操作部１４０に対応する区画１００で再生中の画像データ３１（動画）に関連する関連画像データである。
【００９７】
図１３は、第１区画１００ａにおいて画像データＡ３が再生中であった場合に、関連画像アピール操作部１４０に対してフリック操作を行った後の表示画面７３ｌを例示する図である。フリック操作が行われると、制御部７０は、第１区画１００ａの下部に、新たに第５区画１００ｅ、第６区画１００ｆ、および第７区画１００ｇを設ける。
【００９８】
フリック操作が為されたとき第１区画１００ａにおいて画像データＡ３が再生中であった場合、制御部７０は、新たに設けた第５区画１００ｅ、第６区画１００ｆ、および第７区画１００ｇに、カテゴリＣに属する動画である画像データＣ１、Ｃ２、Ｃ３をそれぞれ割り当てる。つまり制御部７０は、関連画像アピール操作部１４０にフリック操作が為されると、表示画面に新たな区画１００を追加して、その新たな区画１００に他の画像データ３１（動画）を割り当てる。ここで新たに割り当てられる他の画像データ３１（動画）とは、関連画像アピール操作部１４０に対応する区画１００で再生中の画像データ３１（動画）に関連する関連画像データである。
【００９９】
なお、第１区画１００ｂにおいて、関連画像データが存在しない画像データＡ２を再生中である場合、関連画像アピール操作部１４０はフリック操作を受け付けない。このとき、関連画像アピール操作部１４０や第１区画１００ｂの表示態様を変更し、関連画像データが存在しないことを閲覧者に示唆してもよい。例えば関連画像アピール操作部１４０の表示色を淡い色に変化させてもよい。関連画像アピール操作部１４０の表示態様に、これとは異なる意味合いを持たせることもできる。例えば、関連画像データが閲覧済みか否かで、関連画像アピール操作部１４０の色合いが変化してもよい。
【０１００】
また、既存の区画１００を縮小して新たな区画１００を設け、その新たな区画１００に関連画像データを割り当てるのではなく、既存の区画１００に直接関連画像データを割り当ててもよい。例えば図１１（ａ）に例示した表示画面７３ｊにおいて、第２区画１００ｂおよび第３区画１００ｃに、それぞれ画像データＢ１、Ｂ２を割り当ててもよい。
【０１０１】
上述した実施の形態によれば、次の作用効果が得られる。
（２３）制御部７０は、表示画面に設けられた複数の区画１００に、選択された複数の画像データ３１をそれぞれ表示するよう制御する。制御部７０は、閲覧者の指示に基づき、複数の区画１００の表示態様と、複数の画像データ３１と、を共に変更させるよう制御する。このようにしたので、簡易な操作でレイアウトを変更可能な、使い勝手のよい表示装置を提供することができる。
【０１０２】
（２４）制御部７０が変更させる複数の区画１００の表示態様は、複数の区画１００の個数、形状、位置、およびサイズである。このようにしたので、簡易な操作でレイアウトを変更可能な、使い勝手のよい表示装置を提供することができる。
【０１０３】
（２５）制御部７０は、閲覧者の指示が複数の画像データ３１のいずれかに対する選択指示である場合には、選択指示の対象となった画像データ３１に関連する他の画像データ３１を表示させる。このようにしたので、閲覧者の関心が高い画像が自動的により多く表示される、使い勝手のよい表示装置を提供することができる。
【０１０４】
（２６）制御部７０は、他の画像データ３１を表示するに際し、複数の区画１００に新たな区画１００を追加し、その新たな区画１００に他の画像データ３１を表示する。このようにしたので、閲覧者の関心が高い画像を同時に多数閲覧に供することができる。
【０１０５】
（２７）閲覧者の指示は、閲覧者によるタッチパネル７４のタッチ操作である。このようにしたので、直感的な操作でレイアウトを変更可能な、使い勝手のよい表示装置を提供することができる。
【０１０６】
（２８）複数の画像データ３１は、複数の動画を含み、制御部７０は、複数の区画１００のうち少なくとも１つの区画１００に複数の動画を割り当て、１つの区画１００において時分割的に複数の動画を再生する。このようにしたので、複数の動画を限定的な表示スペース内で再生することができる。
【０１０７】
（２９）制御部７０は、閲覧者の指示が１つの区画１００に対する選択操作であった場合には、複数の動画の少なくとも１つに関連する他の動画を用いて複数の動画の再生を変更する。このようにしたので、閲覧者の関心の高さに応じて再生される動画を適切に切り替えることができる。
【０１０８】
（３０）制御部７０は、複数の区画１００のうち少なくとも１つの区画１００について、その１つの区画１００に表示されている画像データ３１に関連する関連画像データが存在する場合、関連画像データの存在を示す指標である関連画像アピール操作部１４０を表示する。このようにしたので、関連画像データの存在を容易に把握することができる。
【０１０９】
（３１）制御部７０は、関連画像アピール操作部１４０が表示されているときに閲覧者によりフリック操作が為されると、新たな区画１００を追加し、新たな区画１００に関連画像データを表示する。このようにしたので、簡易な操作で関連画像データを閲覧することができる、使い勝手のよい表示装置を提供することができる。
【０１１０】
（３２）制御部７０は、関連画像アピール操作部１４０を、関連画像アピール操作部１４０に対応する区画１００とその区画１００に隣接する他の区画１００との境界部分に表示し、閲覧者によりフリック操作が為されると、境界部分に新たな区画１００を追加し、新たな区画１００に関連画像データを表示する。このようにしたので、互いに関連する画像データ３１同士が近い場所で再生される、使い勝手のよい表示装置を提供することができる。
【０１１１】
次のような変形も本発明の範囲内であり、変形例の一つ、もしくは複数を上述の実施形態と組み合わせることも可能である。
【０１１２】
（変形例１）
区画１００に表示する画像データ３１の優先順位を決定する方法は、図６を用いて説明した方法と異なっていてもよい。例えば、閲覧者による画像データ３１ごとの過去の閲覧時間および閲覧回数を記録しておき、その閲覧時間および閲覧回数に基づき優先順位を決定してもよい。また、ＳＮＳ等による閲覧者の興味分析により決定してもよい。
【０１１３】
優先順位だけでなく、区画１００のサイズ等を過去の閲覧時間および閲覧回数に基づき決定してもよい。例えば、よく閲覧する画像データ３１を表示する区画１００のサイズを、他の区画１００より大きくしてもよい。逆に、よく閲覧する画像データ３１を表示する区画１００のサイズを、他の区画１００より小さくしてもよい。
【０１１４】
動画の再生時間を、以上の情報に基づき決定してもよい。例えば、閲覧者が初めて閲覧する画像データ３１（動画）は全期間を再生するが、既に何回か閲覧したことのある画像データ３１（動画）は、その一部分（例えば重要部分）のみを再生するようにしてもよい。逆に、よく閲覧する画像データ３１（動画）については、他の画像データ３１（動画）よりも再生時間を長くしてもよい。
【０１１５】
上述した変形例によれば、次の作用効果が得られる。
（３３）制御部７０は、閲覧者が過去に閲覧した画像データ３１ごとの閲覧時間および閲覧回数の履歴に基づき、複数の区画１００の表示態様と、複数の画像データ３１と、を共に変更させる。このようにしたので、閲覧者ごとに最適化された表示装置を提供することができる。
【０１１６】
（変形例２）
区画１００に表示する画像データ３１の優先順位を、画像データ３１の編集履歴に基づき決定してもよい。例えば、サーバ３に画像データ３１を送信する前に、いわゆるフォトレタッチソフトや動画編集ソフト等を用いて、画像データ３１を加工編集することができるが、この加工編集に関する情報も画像データ３１と共にサーバ３に送信する。この場合、制御部７０が、加工編集の回数が多い画像データ３１ほど優先的に表示するようにしてもよい。
【０１１７】
上述した変形例によれば、次の作用効果が得られる。
（３４）制御部７０は、過去に為された編集操作の回数が多い画像データ３１ほど優先的に複数の画像データ３１として選択する。このようにしたので、編集者がより加工編集に力を入れた、品質の高い画像データ３１を、優先的に閲覧者に閲覧させることができる。
【０１１８】
（変形例３）
上述した各実施の形態では、タッチパネル７４を用いたタッチ操作により携帯機器７を操作する例について説明した。つまり、閲覧者による指示は、全てタッチパネル７４を用いたタッチ操作により制御部７０に入力されていた。これを、他の操作部材（例えばメカニカルスイッチ等）を用いた操作で置き換えてもよい。
【０１１９】
また、種々のセンサにより検出された閲覧者の所定動作で置き換えることも可能である。例えば、閲覧者の視線を撮像装置により検出し、視線の変化を閲覧者による指示とすることができる。別の例としては、赤外線センサ等により閲覧者の手の動きを検出し、所定の手の動きを指示とすることもできる。また、マイクロフォンで閲覧者の音声を検出し、所定の音声を指示とすることも可能である。
【０１２０】
上述した変形例によれば、次の作用効果が得られる。
（３５）閲覧者の指示は、所定のセンサにより検出された閲覧者の所定動作である。このようにしたので、より直感的に操作可能な表示装置を提供することができる。
【０１２１】
（変形例４）
第４の実施の形態において、閲覧者のピンチイン操作およびピンチアウト操作は、１つの区画１００に割り当てられた動画の数を増減させていた。これを、既に割り当てられている動画の再生時間を増減させるようにしてもよい。例えば、各々の動画の再生時間を予め１分だけに限定しておく。閲覧者がある区画１００のシークバー１３０に対してピンチアウト操作を行うと、この１分という時間が２分や３分に増加する。ピンチアウト操作を行うと、逆に、５０秒や４０秒に減少する。また、その区画１００に割り当てられている全ての動画の再生時間を増減させるのではなく、現在再生中の動画の再生時間のみを増減させるようにしてもよい。
【０１２２】
（変形例５）
上述した各実施の形態において、携帯機器７はタブレット端末であったが、これを他の形態の端末としてもよい。例えば、いわゆるスマートフォンであってもよい。携帯機器７が、画面サイズの異なる種々の端末である場合、画面サイズに応じて区画１００の個数を変化させることもできる。
【０１２３】
（変形例６）
以上で説明した操作方法および表示方法は一例であり、異なる操作方法や表示方法を採用してもよい。例えば、第１の実施の形態では、特定の画像データ３１をタッチすると、区画１００を増やして、その画像データ３１に関連する関連画像データを表示していた。これを、特定の画像データ３１に対してピンチイン操作やピンチアウト操作を行うようにしてもよい。この場合、ピンチアウト操作が為されると、区画１００を増やして、その画像データ３１に関連する関連画像データを表示する。逆に、ピンチイン操作が為されると、区画１００を減らす。その他、操作方法の変形例として、ピンチイン操作とピンチアウト操作を逆転させてもよいし、インジケータ１１１の位置を左右逆転させてもよい。
【０１２４】
（変形例７）
以上で説明した操作方法および表示方法は一例であり、異なる操作方法や表示方法を採用してもよい。例えば、図１４に示す様に、Ａ１／Ｂ１／Ｃ１／Ｄ１の画像が表示された区画において、ユーザがＢ１の画像をタッチすると、Ａ１／Ｂ１の表示画像は変更せず、Ｃ１の画像が表示されていた区画を２つの区画に分割し、Ｂ１の画像に関連した画像Ｂ２／Ｂ３を表示し、Ｄ１の画像が表示されていた区画を２つの区画に分割し、Ｃ１とＤ１の画像を表示してもよい。次に、ユーザがＢ１の画像（またはＢ２、Ｂ３の画像）を操作するとＢ１に関連する画像が表示されるようにしてもよい。
【０１２５】
（変形例８）
以上で説明した操作方法および表示方法は一例であり、異なる操作方法や表所方法を採用してもよい。例えば、図１５に示す様に、Ａ１／Ｂ１／Ｃ１／Ｄ１の画像が表示された区画において、ユーザが所望する画像を固定（ロック）し、その他の画像が表示されている区画部分の表示領域について区画分けと表示画像を変更することが可能である。ユーザはＡ１／Ｄ１の画像に興味があり、２つの画像を変更しないために、画像を固定（ロック）する。画像の固定（ロック）の操作方法は、例えば画像を長押ししてロック（鍵）マークを付けて区別してもよいし、ダブルタップする操作でロック（鍵）マークを付けてもよい。ユーザによってロック（鍵）マークが付けられた画像は、その後の区画や表示画像が変化した場合でも、変化しない。ユーザが画像に付けられたロック（鍵）マークを解除すると、その後の操作により表示画像の区画の変化や、画像の削除が可能になる。ユーザによって画像を固定（ロック）する場合、表示画面の区画が６区画であれば固定（ロック）可能な区画は１区画から５区画までとなり、固定（ロック）されなかった残りの１区画が今後の処理で変化していく、つまり区画が分割され、新しい画像が区画に割り当てられるようになる。
【０１２６】
また、例えばユーザがＡ１の表示画像の区画の真ん中に線をひくような操作を行うと、区画が２分割されて新しい２つの区画にＡ１に関連する画像を表示してもよい。
【０１２７】
上述の各実施の形態では、表示形態は携帯機器について述べたが、表示形態は携帯機器に限定されたものではなく、例えばタブレット端末やカメラボディ、テレビなどタッチ操作可能な表示機器であれば適用される。なお、タッチ操作に関して記述してきたが、パソコンのマウス操作や釦操作、または音声による指示操作や視線による指示操作、などのように選択可能な操作であればタッチ操作に限定されるものではない。
【０１２８】
また、上述した各実施の形態では、複数の区画１００が表示画面全体を覆っていた。これを、各々の区画１００の間に、隙間が設けられるようにしてもよい。つまり、複数の区画１００は必ずしも表示画面全体に隙間なく敷き詰められていなくてもよい。表示方法に関する他の例としては、液晶ディスプレイ７３の代わりに、国際公開ＷＯ２０１３／０７７３３８号公報に記載されているような、空中に立体像を表示する表示装置を採用することができる。
【０１２９】
また、上述した各実施の形態では、表示画面を縦姿勢（図５に示す様に、表示画面の長辺が縦方向、短辺が横方向となる位置を縦姿勢とする）の姿勢でユーザが閲覧しているケースについて述べているが、表示画面を横姿勢（縦姿勢とは異なり、表示画面の長辺が横方向、短辺が縦方向となる位置を横姿勢とする）の姿勢でユーザが閲覧するケースがあってもよい。ユーザが表示画面を横姿勢で閲覧するケースでも、表示画面を縦姿勢で閲覧するケースと比較して、ユーザの操作方法や画像の表示方法に変更はない。しかし、表示画面の縦姿勢と横姿勢で閲覧するケースでは、表示画面の区画の割り方や表示する画像の順番が異なってもよい。
【０１３０】
また、表示画面に画像を順次表示していく際に、画像が表示されない区画が生じてもよい。この画像が表示されない区画は、例えば関連する画像がもうないということを示し、或いはユーザがコメントを記入するためのメモ欄として空白の区画を利用することも可能である。
【０１３１】
また、ユーザが閲覧を終了する際は、最終表示画面の区画と表示画像の内容をメモリ（携帯機器やカメラの内部メモリ、ＳＤカードなどの外部記録媒体、ＰＣやクラウド上の記録空間）にファイルとして保存してもよいし、保存せず閲覧機能を終了してもよい。ファイルとして保存する形態は、最終表示画面に表示された画像と最終区画の両方を保存してもよいし、最終表示画面に表示された画像のみ、または最終区画のどちらかのみを保存してもよい。最終表示画面の形態を保存した場合は、ユーザはメモリから保存したファイルを選択することで閲覧を再開することができる。例えば、ユーザが最終表示画面に表示された画像と最終区画の両方を保存した場合、ユーザは保存したそのファイルを選択すると、閲覧を終了した画面を表示することができる。また、ユーザが最終区画のみを保存した場合、ユーザが保存された区画分割を選択すると、表示画面がその区画に分割され、任意の画像が割り当てられ表示される。また、ユーザが最終表示画面に表示された画像のみを保存した場合、保存された画像ファイルから読み出されると、表示画面は画像の枚数に適した区画に分けられ、画像が表示される。もしくは、保存された画像が１枚ずつ順次表示されてもよい。
【０１３２】
また、ユーザが閲覧操作を継続して行うと、表示画面に表示される区画のサイズが徐々に小さくなり、区画に割り当てられた表示画像が確認しにくい場合が起こり得る。そのような場合においては、区画のサイズに制限を設けてもよい。区画のサイズの制限（最小区画サイズ）は、ユーザが設定してもよいし、表示画面の大きさに基づいて表示装置があらかじめ設定していてもよい。例えば上記変形例８のようにロックされた画像がある場合は、表示画像と区画を変更できる表示部分が少なくなるため、ユーザー操作の回数が少ない間に最小区画サイズに至る。逆に、区画のサイズの最大は、表示画面に画像を１枚だけ表示するサイズとしてもよい。
【０１３３】
また、初期の表示画面においてユーザにとって興味がない画像が表示されている場合に、ユーザは例えばスライド操作のような操作により興味のない画像については削除することも可能である。
また、表示画像の１つを拡大して表示したい場合は、ユーザのタッチ操作やスライド操作で拡大可能であり、拡大表示を終了すると、拡大操作前の元の画面（表示画像と区画ともに）に戻る。
なお、分割したい区画に仕切りを設けるような操作（例えば線を引くような操作）を行った場合は、区画をそのように分かれた区画に分割し、各々の区画に画像を表示することが可能である。
【０１３４】
本発明の特徴を損なわない限り、本発明は上記実施の形態に限定されるものではなく、本発明の技術的思想の範囲内で考えられるその他の形態についても、本発明の範囲内に含まれる。
【符号の説明】
【０１３５】
１…画像再生システム、２…ネットワーク、３…サーバ、４…情報端末、５、５ａ、５ｂ…カメラ、６ａ、６ｂ…無線中継局、７…携帯機器、３０…記憶装置、７０…制御部
【図１】
2017102217.tif 000003
【図２】
2017102217.tif 000004
【図３】
2017102217.tif 000005
【図４】
2017102217.tif 000006
【図５】
2017102217.tif 000007
【図６】
2017102217.tif 000008
【図７】
2017102217.tif 000009
【図８】
2017102217.tif 000010
【図９】
2017102217.tif 000011
【図１０】
2017102217.tif 000012
【図１１】
2017102217.tif 000013
【図１２】
2017102217.tif 000014
【図１３】
2017102217.tif 000015
【図１４】
2017102217.tif 000016
【図１５】
2017102217.tif 000017